(57)【要約】【課題】  ５０００ヘルツから１７０００ヘルツの範囲から選択された複数の周波数からなる蚊撃退音を収録したディスクを提供し、携帯用又は車載用音楽ディスク再生装置を利用することにより蚊撃退音の音量を大きくすることを可能として、蚊撃退能力の向上及び有効範囲の拡大を目的とする。【解決手段】本発明は蚊撃退音収録ディスクに次の手段を採用する。第１に、５０００ヘルツから１７０００ヘルツの蚊撃退音から選択された単一の特定周波数の音を音楽用ディスクの単一のトラックに、携帯用又は車載用音楽ディスク再生装置にて再生し、スピーカーより出力できるよう収録する。第２に、上記周波数の蚊撃退音の中から選択された他の単一の特定周波数の音を音楽用ディスクの他の単一のトラックに、上記再生装置で再生し、スピーカーより出力できるよう収録する。【選択図】        図７
2007209215.tif 000002
【特許請求の範囲】
【請求項１】
５０００ヘルツから１７０００ヘルツの蚊撃退音から選択された単一の特定周波数の音を音楽用ディスクの単一のトラックに、携帯用又は車載用音楽ディスク再生装置にて再生し、スピーカーより出力できるよう収録し、上記周波数の蚊撃退音の中から選択された他の単一の特定周波数の音を音楽用ディスクの他の単一のトラックに、上記再生装置で再生し、スピーカーより出力できるよう収録したことを特徴とする蚊撃退音収録ディスク。
【請求項２】
５０００ヘルツから１７０００ヘルツの蚊撃退音から選択された複数の異なる周波数の音を音楽用ディスクの単一のトラックに、携帯用又は車載用音楽ディスク再生装置にて再生し、スピーカーより出力できるよう収録したことを特徴とする蚊撃退音収録ディスク。
【請求項３】
５０００ヘルツから１７０００ヘルツの蚊撃退音を低い周波数の音より高い周波数の音に至るよう整列して、音楽用ディスクの単一のトラックに、携帯用又は車載用音楽ディスク再生装置にて再生し、スピーカーより出力できるよう収録したことを特徴とする蚊撃退音収録ディスク。
【請求項４】
５０００ヘルツから１７０００ヘルツの蚊撃退音から選択された複数の異なる周波数の音を音楽用ディスクの単一のトラックに、携帯用又は車載用音楽ディスク再生装置にて再生し、スピーカーより出力できるよう収録するとともに、上記選択された複数の異なる周波数の内、単一の特定周波数の音を音楽用ディスクの他の単一のトラックに、上記再生装置で再生し、スピーカーより出力できるよう収録したことを特徴とする蚊撃退音収録ディスク。
【請求項５】
上記トラックが、音楽或いは音声を収録した音楽用ディスクの前記音楽或いは音声収録部以外の余剰トラックであることを特徴とする請求項１から４のいずれかに記載された蚊撃退音収録ディスク。
【発明の詳細な説明】
【技術分野】
【０００１】
本発明は、蚊の嫌う音を収録したディスクに関するものである。詳しくは、主に屋外でカーオーディオ装置やＣＤラジカセ装置で再生し、スピーカーより音量を大きくして出力することを可能とした蚊撃退音収録ディスクであって、人やペットを襲う蚊の撃退範囲を拡大すべく開発されたものである。
【背景技術】
【０００２】
従来の蚊の撃退手段としては蚊取線香、電気蚊取器があった。又、特許文献１に記載するように、近年は蚊の嫌う音を携帯用小型ケースから発生させて蚊を撃退する器具が安価に売られている。しかしながら、この蚊撃退器はＣＤラジカセ装置と比較して音量が小さく、有効範囲が狭域であり、又、群れをなすヤブ蚊などには十分な効果がないなど、蚊撃退効果が乏しいものであった。図８は蚊の嫌う周波数の音の到達距離と蚊の撃退に必要な振動エネルギーの関係及び従来の携帯型小型蚊撃退器による有効範囲と本発明による蚊撃退音収録ディスクをＣＤラジカセなどを使用して音を発生せしめた場合の有効範囲の差異を示す模式図である。更に、これらの蚊撃退器は概ね連続して作動させるので、電源電池の消耗も大きく不経済である。
【０００３】
そこで、特許文献２に示すように蚊防止ＤＶＤなる提案がなされているが、４８〜５０キロヘルツという蚊撃退音としての周波数として適正でない音を利用し、効果において疑問があるばかりか、このような高周波を通常の携帯用又は車載用音楽ディスク再生装置で出力することはできず、それを可能とする再生装置が存在するとしても、高周波の出力により高熱を発生する場合もあり、危険なもので、実用的なものとは言えなかった。
【０００４】
【特許文献１】実用新案出願公告  昭５０−４３４９０号公報
【特許文献２】特開２００５−２３７３６３号公開特許公報
【発明の開示】
【発明が解決しようとする課題】
【０００５】
本発明は、上記問題点を解決するため、５０００ヘルツから１７０００ヘルツの中から選択された複数の周波数からなる蚊撃退音を収録したディスクを提供し、携帯用又は車載用音楽ディスク再生装置を利用することにより蚊撃退音の音量を大きくすることを可能として、蚊撃退能力の向上及び有効範囲の拡大を目的とする。
【課題を解決するための手段】
【０００６】
第１の発明は、５０００ヘルツから１７０００ヘルツの蚊撃退音から選択された単一の特定周波数の音を音楽用ディスクの単一のトラックに、携帯用又は車載用音楽ディスク再生装置にて再生し、スピーカーより出力できるよう収録し、上記周波数の蚊撃退音の中から選択された他の単一の特定周波数の音を音楽用ディスクの他の単一のトラックに、上記再生装置で再生し、スピーカーより出力できるよう収録したことを特徴とする蚊撃退音収録ディスクを提供する。
【０００７】
第２の発明は、５０００ヘルツから１７０００ヘルツの蚊撃退音から選択された複数の異なる周波数の音を音楽用ディスクの単一のトラックに、携帯用又は車載用音楽ディスク再生装置にて再生し、スピーカーより出力できるよう収録したことを特徴とする蚊撃退音収録ディスクを提供する。
【０００８】
第３の発明は、５０００ヘルツから１７０００ヘルツの蚊撃退音を低い周波数の音より高い周波数の音に至るよう整列して、音楽用ディスクの単一のトラックに、携帯用又は車載用音楽ディスク再生装置にて再生し、スピーカーより出力できるよう収録したことを特徴とする蚊撃退音収録ディスクを提供する。
【０００９】
第４の発明は、５０００ヘルツから１７０００ヘルツの蚊撃退音から選択された複数の異なる周波数の音を音楽用ディスクの単一のトラックに、携帯用又は車載用音楽ディスク再生装置にて再生し、スピーカーより出力できるよう収録するとともに、上記選択された複数の異なる周波数の内、単一の特定周波数の音を音楽用ディスクの他の単一のトラックに、上記再生装置で再生し、スピーカーより出力できるよう収録したことを特徴とする蚊撃退音収録ディスクを提供する。
【００１０】
第５の発明は、第１乃至４の発明のうちいずれかの発明におけるトラックが、音楽或いは音声を収録した音楽用ディスクの前記音楽或いは音声収録部以外の余剰トラックであることを特徴とする蚊撃退音収録ディスクを提供する。
【発明の効果】
【００１１】
第１の発明では、５０００ヘルツから１７０００ヘルツの蚊撃退音を携帯用又は車載用音楽ディスク再生装置を使用して音を出力するので音量を大きくすることができ、携帯用小型の同類機器に比べ蚊撃退範囲を拡大することができる。更に、複数の蚊撃退音が音楽用ディスクに収録されているので、嫌う音が既知の特定周波数の音である蚊に対しては、音楽用ディスク再生装置のトラック選定操作を行い、特定の周波数の音を選定し、再生することにより目的とする蚊を撃退することができる。
【００１２】
第２及び第３の発明にあっては、５０００ヘルツから１７０００ヘルツの蚊撃退音から選択された複数の異なる周波数の音を音楽用ディスクの単一のトラックに収録するか、又は上記蚊撃退音を低い周波数の音より高い周波数の音に至るよう整列して、音楽用ディスクの単一のトラックに収録してあるので、嫌う音が未知の周波数の音である蚊に対して、未知の蚊が嫌うと推定される周波数を含む複数の異なる周波数の音を再生することにより、該未知の蚊を撃退することができる。
【００１３】
第４の発明は、５０００ヘルツから１７０００ヘルツの蚊撃退音から選択された複数の異なる周波数の音を音楽用ディスクの単一のトラックに収録するとともに、上記選択された複数の異なる周波数の内、単一の特定周波数の音を音楽用ディスクの他の単一のトラックに収録したものであるので、複数の異なる周波数が収録されたトラックを再生して、蚊の嫌う音を判断してから、他のトラックに収録された特定周波数の音を再生することにより、的中する周波数の音を指定して、該未知の蚊を撃退することができる。
【００１４】
第５の発明では、一般に市販されている音楽或いは音声を収録したディスクの前記音楽或いは音声収録部以外の余剰トラックに収録するという手段を付加したものであるので、前記音楽或いは音声を再生するべき操作の中の１つの操作としてのトラック選定操作により、蚊が嫌う周波数の音を再生することができ、目的とする蚊を撃退することができる。
【発明を実施するための最良の形態】
【００１５】
以下、図面に従って、実施例と共に本発明の実施の形態について説明する。図１は、一般的に家庭で使用される低価格な再生用ＣＤプレーヤー付きラジオカセットレコーダー１（以下、ＣＤラジカセという）の外観図で、２はケース、３はスピーカー、４は電源ＯＮ／ＯＦＦボタン、５は音量調整ボタン、６はラジオ局番やＣＤ収録局曲番を選ぶ選局或いは選曲ボタン、７はＣＤレコード内容の選曲組み合せや選曲繰り返しの機能を設定する機能設定ボタンである。このＣＤラジカセ１は、一例に過ぎず他のＣＤラジカセであってもよい。
【００１６】
本実施例で利用する音楽用ディスクは、一般的な音楽用ＣＤであり、コンパクトディスクの表面に音楽データ（レコード内容）を、内周から外周に向かって渦巻き状に記録する連続した１本のデータ列に蚊撃退音のデータをデジタル信号として記憶させたもので、通常の音楽用ディスクである。尚、人体を攻撃する産卵期のメスの蚊は複数の種類が存在するとされている。そのため本発明で利用される蚊撃退音は、周波数５０００ヘルツから１７０００ヘルツの範囲の音を用いる。
【００１７】
そこで、該複数の蚊の中の第ａ番目の種類の蚊が嫌う周波数の音（例えば５０００ヘルツの音）や第ｎ番目の蚊が嫌う音（例えば１７０００ヘルツの音）に対応するべく、本発明による蚊撃退音収録ディスクには、第ａ番目の蚊撃退音データ及び第ａ番目の蚊撃退音名称として「５０００ヘルツ（文字列）」を設定し、同じく第ｎ番目の種類の蚊に対しては第ｎ番目の蚊撃退音データ及び第ｎ番目の蚊撃退音名称として「１７０００ヘルツ（文字列）」を設定する。
【００１８】
図２は、ＣＤラジカセ１で、再生可能な音楽用ディスクに於ける一般的な音楽データのフォーマット１０である。前記フォーマット１０のオフセット位置１１の「０」なるファイル部分１２にレコード種別１３が格納されており、レコード種別１３は図３に示すように、該種別「１」なる部分１４にトラック番号（曲番）１５、前記種別の「６」なる部分１６にトラック名称（曲名）１７が記録されている。一方、図２に示されるように音楽データは上記オフセット位置の「０」と「１」に続く「２〜ｎ＋１」までのｎバイトのデータ列で構成されて記録され、図４に示されるような典型的レコード配置となっている。
【００１９】
本発明に係る蚊撃退音収録ディスクは、前記図２のＣＤに於ける音楽データに代えて、又は音楽テータの余剰領域に蚊撃退音データを前記フォーマット１０に従って、図５及び図６に示すようにフォーマット２０に格納したものである。
【００２０】
すなわち、まず、図５のオフセット位置２１の「０」なるファイル部分２２にレコード種別２３を格納し、つづいて図６の前記種別２８の「１」なる部分２４に選択された蚊撃退音の１つに付された番号（たとえば「Ｎｏ．ａ」などの文字列）を格納し、さらに前記種別２８の「６」なる部分２６に前記付番に関連した蚊撃退音の名称（たとえば「５０００ヘルツ」の文字列など）を格納する。
【００２１】
さらに加えて、上記オフセット位置２１の「０」と「１」に続く「２〜ｎ＋１」までのｎバイトの範囲内のデータ量で、蚊撃退音データを「５０００ヘルツ」たる前記付番に関連したデータとして格納し、前記ＣＤラジカセ等で再生し得るよう構成せしめる。
【００２２】
続いて、前記フォーマット２０に従いつつ前記の種別２８の「２」の部分に上記「Ｎｏ．ａ」とは異なる付番（たとえば「Ｎｏ．ｂ」など）を格納し、同時に前記１９に上記「Ｎｏ．ｂ」と関連した名称の文字列（たとえば「６０００ヘルツ」など）を格納し、さらに上記に加え、所定の格納領域に前記付番に関連した「６０００ヘルツ」たるデータとして格納し、前記ＣＤラジカセ等で再生し得るよう構成せしめる。  
【００２３】
その他同様に、「Ｎｏ．ｃ」は「７０００ヘルツ」、「Ｎｏ．ｄ」は「８０００ヘルツ」、等というように付番、名称、音データを関連づけつつ、前記フォーマットに従い格納する。以上により、本発明による選択された特定周波数が複数収録された蚊撃退音収録ディスクが実現される。この蚊撃退音収録ディスクは第１の発明に相当するものである。
【００２４】
また、第２の発明のように撃退すべき蚊に効果がある周波数が未知であるために当該周波数の音の特定が不可能な場合にも効果を奏するため、５０００ヘルツから１７０００ヘルツの蚊撃退音から選択された複数の異なる周波数の音を音楽用ディスクの単一のトラックに、携帯用又は車載用音楽ディスク再生装置にて再生し、スピーカーより出力できるよう収録することや、第３の発明のように蚊撃退音を低い周波数の音より高い周波数の音に至るよう整列して、音楽用ディスクの単一のトラックに収録することもできる。更に、この連続周波数の蚊撃退音を、特定周波数が複数収録された蚊撃退音収録ディスクの１つのトラックに含めることもできる。
【００２５】
更に、以上の蚊撃退音を、一般に市販されている音楽或いは音声を収録したディスクの前記音楽或いは音声収録部以外の余剰トラックに収録するという方法も考えられる。
【００２６】
次に、本発明による一実施例の蚊撃退音収録ディスクを使用し、一般的なＣＤラジカセ１を用いて蚊撃退音を再生せしめる操作手順について、１つの操作事例を示す。上記構成された蚊撃退音収録ディスクを前記ＣＤラジカセ１を使用し、該ＣＤラジカセ１の電源ＯＮ／ＯＦＦボタン４をＯＮにした後、ＣＤ再生を選択し、続いて選曲ボタン６を操作して所定周波数の音を設定する。
【００２７】
たとえば、嫌う周波数の音が第ａ番目の蚊に対しては、選曲ボタンを「ａ」の位置に合わせ、トラック１に記録された５０００ヘルツなる周波数の音をスピーカを介して発生せしめる。加えて、蚊撃退のための音量に過不足がある場合には音量調整ボタン５を操作して調整する。更に、上記一連の動作に関して、作動時間の延長が必要なる場合は前記ＣＤラジカセ１の繰り返し機能選択ボタンの操作により作動時間を設定する。ＣＤラジカセ１に付設されたスピーカー３から当該周波数の音を与えることで、人体を攻撃するとされる産卵期のメスの蚊を撃退することができる。
【００２８】
蚊撃退音収録ディスクの使用事例として、音楽用ＣＤラジカセ１を利用し、草野球等のスポーツにおけるベンチや観客席での使用、魚釣り現場などにおける使用、ペンキ塗り作業現場などでの使用などが考えられる。更に、この蚊撃退音収録ディスクは、カーオーディオでも利用できるものであるので、カーオーディオを付設する車両では、当該車両周囲に於けるキャンプファイアー、バーベキューなどの場面で使用することも考えられる。
【図面の簡単な説明】
【００２９】
【図１】．．．．．．一般的ＣＤラジカセの斜視図
【図２】．．．．．．音楽ＣＤのレコードのフォーマットの説明図
【図３】．．．．．．音楽ＣＤのレコード種別の説明図
【図４】．．．．．．音楽ＣＤのファイルのレコード配置の説明図
【図５】．．．．．．本実施例の蚊撃退音収録ディスクのフォーマットの説明図
【図６】．．．．．．同レコード種別の説明図
【図７】．．．．．．本実施例におけるファイルのレコード配置の説明図
【図８】．．．．．．従来の携帯型小型蚊撃退器による有効範囲と差異を示す模式図
【符号の説明】
【００３０】
１．．．．．．．．ＣＤラジカセ
２．．．．．．．．ケース
３．．．．．．．．スピーカー
４．．．．．．．．電源ＯＮ／ＯＦＦボタン
５．．．．．．．．音量調整ボタン
６．．．．．．．．選曲ボタン
７．．．．．．．．機能設定ボタン
１０、２０．．．フォーマット
１１、２１．．．オフセット位置
１２．．．．．．．．ファイル部分
１３、２３．．．．レコード種別
１５．．．．．．．．トラック番号
１７．．．．．．．．トラック名称
【図１】
2007209215.tif 000003
【図２】
2007209215.tif 000004
【図３】
2007209215.tif 000005
【図４】
2007209215.tif 000006
【図５】
2007209215.tif 000007
【図６】
2007209215.tif 000008
【図７】
2007209215.tif 000009
【図８】
2007209215.tif 000010